(57)【要約】【課題】ステータス情報の表示の有無に応じて、表示モードの移行を簡単な方法で行う。【解決手段】電子機器（１）は、ステータス情報（ＳＴ１〜ＳＴ４）を、少なくとも一部に切欠き部（Ａ１）が形成されている第１表示領域（Ｄ１）に表示するとともに、第２表示領域（Ｄ２）をアプリケーションの描画領域として利用する拡張表示モード、およびステータス情報（ＳＴ１〜ＳＴ４）を前記第１表示領域に表示せず、前記第２表示領域に表示する代替表示モードの２つの表示モードの少なくとも何れかにより表示面に表示を行い、前記第１表示領域に、前記代替表示モードから前記拡張表示モードへの移行を受け付ける移行受付表示（ＳＷ１）の表示を行う制御部（２０）を備える。【選択図】図１
2019070762.tif 000002
【特許請求の範囲】
【請求項１】
ユーザからの入力を検出する入力部と、
少なくとも一部に切欠き部が形成されている表示部と、
制御部と、を備え、
前記制御部は、
前記表示部に、前記切欠き部が形成されている第１表示領域と、前記第１表示領域以外の表示領域である第２表示領域と、を設け、
自機器のステータス情報を前記第１表示領域に表示するとともに、前記第２表示領域をアプリケーションの描画領域として利用する拡張表示モード、および前記ステータス情報を前記第１表示領域に表示せず、前記第２表示領域に表示する代替表示モードの２つの表示モードの少なくとも何れかにより前記表示部に表示を行い、
前記第１表示領域に、前記入力部からの入力により、前記代替表示モードから前記拡張表示モードへの移行を受け付ける移行受付表示の表示を行うことを特徴とする電子機器。
【請求項２】
前記制御部は、前記代替表示モードにおいて前記ステータス情報を表示している場合、前記移行受付表示の表示を行うことを特徴とする請求項１に記載の電子機器。
【請求項３】
前記表示部の表示面は矩形であり、
前記制御部は、拡張表示モードにおける縦画面表示の場合、前記第１表示領域に表示するステータス情報を内容に応じて複数の領域に分けて表示し、横画面表示の場合、代替表示モードに移行するとともに、前記ステータス情報を複数に分けずに１つの領域に表示させることを特徴とする請求項１または２に記載の電子機器。
【請求項４】
前記制御部は、横画面表示の場合、前記第１表示領域には何も表示しないことを特徴とする請求項３に記載の電子機器。
【請求項５】
前記制御部は、前記第１表示領域に、前記拡張表示モードから前記代替表示モードへの移行を受け付ける別の移行受付表示の表示を行うことを特徴とする請求項１から４の何れか１項に記載の電子機器。
【請求項６】
ユーザからの入力を検出する入力部と、
少なくとも一部に切欠き部が形成されている表示部と、
表示制御部と、
モード決定部と、を備えた制御装置であって、
前記表示制御部は、
前記表示部に、前記切欠き部が形成されている第１表示領域と、前記第１表示領域以外の表示領域である第２表示領域と、を設け、
自機器のステータス情報を前記第１表示領域に表示するとともに、前記第２表示領域をアプリケーションの描画領域として利用する拡張表示モード、および前記ステータス情報を前記第１表示領域に表示せず、前記第２表示領域に表示する代替表示モードの２つの表示モードの少なくとも何れかにより前記表示部に表示を行い、
前記第１表示領域に、前記入力部からの入力により前記代替表示モードから前記拡張表示モードへの移行を受け付ける移行受付表示の表示を行い、
前記モード決定部は、前記拡張表示モードおよび前記代替表示モードの２つの表示モードの少なくとも何れかを決定し、前記表示制御部に決定した結果を供給することを特徴とする制御装置。
【請求項７】
少なくとも一部に切欠き部が形成された表示部を有する電子機器の制御方法であって、
前記表示部に、前記切欠き部が形成されている第１表示領域と、前記第１表示領域以外の表示領域である第２表示領域と、を設ける第１工程と、
自機器のステータス情報を前記第１表示領域に表示するとともに、前記第２表示領域をアプリケーションの描画領域として利用する拡張表示モード、および前記ステータス情報を前記第１表示領域に表示せず、前記第２表示領域に表示する代替表示モードの２つの表示モードの少なくとも何れかにより前記表示部に表示を行う第２工程と、を含み、
前記第２工程において、前記第１表示領域に、ユーザからの入力により、前記代替表示モードから前記拡張表示モードへの移行を受け付ける移行受付表示の表示を行うことを特徴とする電子機器の制御方法。
【請求項８】
請求項１に記載の電子機器としてコンピュータを機能させるための制御プログラムであって、前記制御部としてコンピュータを機能させるための制御プログラム。
【発明の詳細な説明】
【技術分野】
【０００１】
本発明は電子機器、制御装置、電子機器の制御方法、および制御プログラムに関する。
【背景技術】
【０００２】
非特許文献１には、表示面の上部中央に切欠き部が形成され、切欠き部の左右に時刻または電池残量等のステータス情報を表示する表示領域が設けられている電子機器が開示されている。
【先行技術文献】
【非特許文献】
【０００３】
【非特許文献１】REVIEW:The Essential Phone is a superb smartphone、［online］、平成２９年８月２３日、［平成２９年９月２５日検索］、インターネット＜ＵＲＬ：http://www.businessinsider.com/review-the-essential-phone-is-a-superb-smartphone-2017-8/#some-thoughts-on-the-notch-2＞
【発明の概要】
【発明が解決しようとする課題】
【０００４】
しかしながら、非特許文献に開示されている電子機器では、ステータス情報を表示しないアプリケーション等を起動することが想定されていない。ステータス情報を表示しないアプリケーション等を起動した場合、前記電子機器では、表示面に画像が鮮明に表示されないという問題がある。
【０００５】
また、非特許文献では、ステータス情報の表示の有無に応じて、どのように表示モードを変更するかについても記載されていない。
【０００６】
本発明の一態様は、ステータス情報の表示の有無に応じて、表示モードの移行を簡単な方法で行うことを目的とする。
【課題を解決するための手段】
【０００７】
前記の課題を解決するために、本発明の一態様に係る電子機器は、ユーザからの入力を検出する入力部と、少なくとも一部に切欠き部が形成されている表示部と、制御部と、を備え、前記制御部は、前記表示部に、前記切欠き部が形成されている第１表示領域と、前記第１表示領域以外の表示領域である第２表示領域と、を設け、自機器のステータス情報を前記第１表示領域に表示するとともに、前記第２表示領域をアプリケーションの描画領域として利用する拡張表示モード、および前記ステータス情報を前記第１表示領域に表示せず、前記第２表示領域に表示する代替表示モードの２つの表示モードの少なくとも何れかにより前記表示部に表示を行い、前記第１表示領域に、前記入力部からの入力により、前記代替表示モードから前記拡張表示モードへの移行を受け付ける移行受付表示の表示を行うことを特徴としている。
【０００８】
本発明の一態様に係る制御装置は、ユーザからの入力を検出する入力部と、少なくとも一部に切欠き部が形成されている表示部と、表示制御部と、モード決定部と、を備えた制御装置であって、前記表示制御部は、前記表示部に、前記切欠き部が形成されている第１表示領域と、前記第１表示領域以外の表示領域である第２表示領域と、を設け、自機器のステータス情報を前記第１表示領域に表示するとともに、前記第２表示領域をアプリケーションの描画領域として利用する拡張表示モード、および前記ステータス情報を前記第１表示領域に表示せず、前記第２表示領域に表示する代替表示モードの２つの表示モードの少なくとも何れかにより前記表示面に表示を行い、前記第１表示領域に、前記入力部からの入力により、前記代替表示モードから前記拡張表示モードへの移行を受け付ける移行受付表示の表示を行い、前記モード決定部は、前記拡張表示モードおよび前記代替表示モードの２つの表示モードの少なくとも何れかを決定し、前記表示制御部に決定した結果を供給することを特徴としている。
【０００９】
本発明の一態様に係る電子機器の制御方法は、少なくとも一部に切欠き部が形成された表示部を有する電子機器の制御方法であって、前記表示面に、前記切欠き部が形成されている第１表示領域と、前記第１表示領域以外の表示領域である第２表示領域と、を設ける第１工程と、自機器のステータス情報を前記第１表示領域に表示するとともに、前記第２表示領域をアプリケーションの描画領域として利用する拡張表示モード、および前記ステータス情報を前記第１表示領域に表示せず、前記第２表示領域に表示する代替表示モードの２つの表示モードの少なくとも何れかにより前記表示部に表示を行う第２工程と、を含み、前記第２工程において、前記第１表示領域に、ユーザからの入力により、前記代替表示モードから前記拡張表示モードへの移行を受け付ける移行受付表示の表示を行うことを特徴としている。
【発明の効果】
【００１０】
本発明の一態様によれば、ステータス情報の表示の有無に応じて、表示モードの移行を簡単な方法で行うことができるという効果を奏する。
【図面の簡単な説明】
【００１１】
【図１】本発明の実施形態１に係る電子機器の表示を示す図である。（ａ）は代替表示モードで、ステータス情報が表示されない場合の電子機器の表示を示す図であり、（ｂ）は代替表示モードで、ステータス情報が表示される場合の電子機器の表示を示す図である。
【図２】（ａ）は拡張表示モードでの図１に示す電子機器の表示を示す図であり、（ｂ）は図１に示す電子機器の変形例において、電子機器の表示を示す図である。
【図３】図１に示す電子機器の構成を示すブロック図である。
【図４】図１に示す電子機器が実行する処理の流れの一例を示すフローチャートである。
【図５】本発明の実施形態２に係る電子機器の横画面表示を示す図である。（ａ）は第１表示領域が左側にある場合の電子機器の表示を示す図であり、（ｂ）は第１表示領域が右側にある場合の電子機器の表示を示す図である。
【図６】（ａ）は本発明の実施形態３に係る電子機器において、ステータス情報が表示されない場合の表示を示す図であり、（ｂ）は（ａ）に示す電子機器において、ステータス情報が表示される場合の表示を示す図である。
【図７】図６に示す電子機器の横画面表示を示す図である。（ａ）はステータス情報が表示され、かつ、切欠き部が左側にある場合の電子機器の表示を示す図であり、（ｂ）はステータス情報が表示され、かつ、切欠き部が右側にある場合の電子機器の表示を示す図である。
【発明を実施するための形態】
【００１２】
〔実施形態１〕
図１は、本発明の実施形態１に係る電子機器１の表示を示す図である。図１の（ａ）は代替表示モードで、ステータス情報ＳＴ１〜ＳＴ４が表示されない場合の電子機器１の表示を示す図であり、図１の（ｂ）は代替表示モードで、ステータス情報ＳＴ１〜ＳＴ４が表示される場合の電子機器１の表示を示す図である。図２の（ａ）は、拡張表示モードでの電子機器１の表示を示す図である。図３は、電子機器１の構成を示すブロック図である。
【００１３】
（電子機器１の構成）
電子機器１は、図３に示すように、タッチパネル１０、制御部２０、および記憶部３０を備えている。電子機器１は、例えば、スマートフォンまたはタブレット端末等の携帯情報端末であってもよい。タッチパネル１０および記憶部３０は、単数であってもよいし、複数であってもよい。なお、制御部２０を備え、電子機器１を制御する制御装置についても本発明の範疇に入る。この制御装置は、単数であってもよいし、複数であってもよい。
【００１４】
タッチパネル１０は、入力部１１０および表示部１２０を備えている。入力部１１０は、例えば、ユーザからのタッチ入力を検出する静電容量センサを備えていてもよく、検出したタッチ入力の結果を表示制御部２２０に供給する。表示部１２０は、表示制御部２２０の指示にしたがって画像を表示する。つまり、表示部１２０は、入力部１１０によって検出されたタッチ入力に基づいて表示を行う。
【００１５】
制御部２０は、アプリケーション実行部２１０、表示制御部２２０、およびモード決定部２３０を備えている。アプリケーション実行部２１０は、記憶部３０に格納されている各種のアプリケーション３１０を実行する。表示制御部２２０は、入力部１１０から供給されたタッチ入力の結果に基づいてアプリケーション実行部２１０、モード決定部２３０、および表示部１２０に指示する。モード決定部２３０は、表示制御部２２０の指示にしたがって、拡張表示モードおよび代替表示モードの２つの表示モードの何れかを決定し、決定した結果を表示制御部２２０に供給する。モード決定部２３０は、決定した結果をモード情報３３０として記憶部３０に格納する。表示制御部２２０は、表示部１２０に、第１表示領域Ｄ１と、第２表示領域Ｄ２とを設ける。
【００１６】
記憶部３０は、各種のアプリケーション３１０、ステータス情報３２０、およびモード情報３３０を格納している。ステータス情報３２０は、例えば、図１の（ｂ）に示すようなステータス情報ＳＴ１〜ＳＴ４である。ステータス情報ＳＴ１は、現在の時刻を示す情報であり、ステータス情報ＳＴ２は、電子機器１の電池残量を示す情報である。ステータス情報ＳＴ３は、電波強度を示す情報であり、ステータス情報ＳＴ４は、現在起動しているアプリケーション３１０を示す情報である。モード情報は、拡張表示モードおよび代替表示モードの２つの表示モードのうち、現在実行されている表示モードを示す情報である。
【００１７】
（電子機器１の表示面）
電子機器１は、図１の（ａ）に示すように、表示面を備えている。電子機器１の表示面は矩形であり、その表示面の外縁の少なくとも一部に形成された切欠き部Ａ１を有する。この表示面は、表示部１２０が備えるものである。電子機器１の表示面は、少なくとも一部に切欠き部Ａ１が形成されている第１表示領域Ｄ１と、第１表示領域Ｄ１以外の表示領域である第２表示領域Ｄ２とを含んでいる。
【００１８】
切欠き部Ａ１は、電子機器１の表示面の外縁の少なくとも１辺に形成され、第１表示領域Ｄ１は、切欠き部Ａ１が形成される１辺に沿って設けられている。これにより、第１表示領域Ｄ１と第２表示領域Ｄ２とをユーザに違和感を与えることなく設定することができる。また、電子機器１の表示面の外縁の少なくとも１つの角の形状は、円弧状である。これにより、例えば、電子機器１の額縁を、表示面の外縁の角に合わせることで、電子機器１のサイズを小さくしつつ、電子機器１の額縁を小さくすることができる。
【００１９】
また、電子機器１の表示面は、切欠き部Ａ１の内側に設けられているカメラＣ１を有する。なお、切欠き部Ａ１の内側には、カメラＣ１に限らず、例えば、マイク、スイッチ、もしくはフラッシュライト等のデバイス、またはストラップ等を通すための穴が設けられていてもよい。また、切欠き部Ａ１の内側には、例えば、指紋センサ、虹彩センサ、超音波センサ、または近接センサ等の各種センサのデバイスが設けられてもよい。
【００２０】
（電子機器１の処理の流れ）
次に図４を参照して電子機器１の処理（電子機器１の制御方法）について説明する。図４は、電子機器１が実行する処理の流れの一例を示すフローチャートである。例えば、ユーザがタッチ操作によりアプリケーションの起動を電子機器１に指示する場合を考える。この場合、入力部１１０はユーザからのタッチ入力を検出し、タッチ入力の検出結果を表示制御部２２０に供給する。
【００２１】
表示制御部２２０は、タッチ入力の検出結果をアプリケーション実行部２１０に供給する。アプリケーション実行部２１０は、表示制御部２２０からタッチ入力の検出結果が供給されると、記憶部３０に格納されているアプリケーション３１０のうち、タッチ入力の検出結果に応じたアプリケーション３１０を選択する（ステップＳ１０）。
【００２２】
アプリケーション実行部２１０は、選択したアプリケーション３１０を起動するように表示制御部２２０に指示する。表示制御部２２０は、アプリケーション実行部２１０によって選択されたアプリケーション３１０の情報をモード決定部２３０に供給する。モード決定部２３０は、表示制御部２２０から供給されたアプリケーション３１０の情報を参照し、ステータス情報ＳＴ１〜ＳＴ４の表示を行うか否かを判定する（ステップＳ２０）。
【００２３】
（拡張表示モード）
アプリケーション３１０において、ステータス情報ＳＴ１〜ＳＴ４の表示を行う場合（ステップＳ２０にてＹＥＳの場合）、モード決定部２３０は、拡張表示モードで表示を行うことを決定する。モード決定部２３０は、拡張表示モードで表示を行うことをモード情報３３０として記憶部３０に格納する。モード決定部２３０は、拡張表示モードで表示を行うように表示制御部２２０に指示する。表示制御部２２０は、拡張表示モードで表示を行うように表示部１２０を制御し、拡張表示モードで表示を行う（ステップＳ３０：表示面に表示を行う工程、第２工程）。表示制御部２２０が拡張表示モードで表示を行うとき、表示制御部２２０は、表示部１２０に、第１表示領域Ｄ１と、第２表示領域Ｄ２とを設ける（第１表示領域と第２表示領域とを設ける工程、第１工程）。
【００２４】
なお、表示制御部２２０は、拡張表示モードにおける縦画面表示の場合、第１表示領域Ｄ１に表示するステータス情報ＳＴ１〜ＳＴ４を内容に応じて複数の領域に分けて表示する。図２の（ａ）では、表示制御部２２０は、ステータス情報ＳＴ１〜ＳＴ３を、切欠き部Ａ１の右側の領域に表示させ、ステータス情報ＳＴ４を、切欠き部Ａ１の左側の領域に表示させる。
【００２５】
表示制御部２２０が、拡張表示モードで表示を行った結果、電子機器１の表示は、図２の（ａ）に示すような表示になる。図２の（ａ）に示すように、拡張表示モードは、電子機器１のステータス情報ＳＴ１〜ＳＴ４を第１表示領域Ｄ１に表示するとともに、第２表示領域Ｄ２をアプリケーションの描画領域として利用する。
【００２６】
具体的には、拡張表示モードにおいては、表示制御部２２０は、第１表示領域Ｄ１の少なくとも一部にステータス情報ＳＴ１〜ＳＴ４を表示させ、第２表示領域Ｄ２にアプリケーションの内容を表示させる。拡張表示モードにおいては、代替表示モードと比べて、表示されるステータス情報ＳＴ４の数が少なくなってもよい。これは、切欠き部Ａ１が設けられている分だけ、ステータス情報ＳＴ４を表示するためのスペースが小さくなるからである。また、表示制御部２２０は、第１表示領域Ｄ１にステータス情報ＳＴ１〜ＳＴ４を表示させると同時に、操作ボタン表示ＤＤ１を第１表示領域Ｄ１に表示させてもよい。
【００２７】
（代替表示モード）
アプリケーション３１０において、ステータス情報ＳＴ１〜ＳＴ４の表示を行わない場合（ステップＳ２０にてＮＯの場合）、モード決定部２３０は、代替表示モードで表示を行うことを決定する。モード決定部２３０は、代替表示モードで表示を行うことをモード情報３３０として記憶部３０に格納する。モード決定部２３０は、代替表示モードで表示を行うように表示制御部２２０に指示する。表示制御部２２０は、代替表示モードで表示を行うように表示部１２０を制御し、代替表示モードで表示を行う（ステップＳ４０：表示面に表示を行う工程、第２工程）。表示制御部２２０が代替表示モードで表示を行うとき、表示制御部２２０は、表示部１２０に、第１表示領域Ｄ１と、第２表示領域Ｄ２とを設ける（第１表示領域と第２表示領域とを設ける工程、第１工程）。
【００２８】
表示制御部２２０が、代替表示モードで表示を行った結果、電子機器１の表示は、図１の（ａ）に示すような表示になる。図１の（ａ）に示すように、表示制御部２２０は、第１表示領域Ｄ１にステータス情報ＳＴ１〜ＳＴ４を表示させず、第２表示領域Ｄ２にアプリケーションの内容を表示させる。よって、代替表示モードでは、ステータス情報ＳＴ１〜ＳＴ４が第１表示領域Ｄ１に表示されない。
【００２９】
また、制御部２０は、代替表示モードで表示中に、ステータス情報ＳＴ１〜ＳＴ４を表示する場合、第２表示領域Ｄ２にステータス情報ＳＴ１〜ＳＴ４を表示する。具体的に以下に説明する。代替表示モードで表示中に、アプリケーションの動作で表示面にステータス情報ＳＴ１〜ＳＴ４が表示される場合を考える。この場合、表示制御部２２０は、例えば、第２表示領域Ｄ２の上部にステータス情報ＳＴ１〜ＳＴ４を表示するように表示部１２０を制御し、第２表示領域Ｄ２の上部にステータス情報ＳＴ１〜ＳＴ４を表示する。
【００３０】
第２表示領域Ｄ２の上部にステータス情報ＳＴ１〜ＳＴ４が表示された結果、電子機器１の表示は、図１の（ｂ）に示すような表示になる。なお、表示制御部２２０は、第２表示領域Ｄ２にステータス情報ＳＴ１〜ＳＴ４を表示する場合、第１表示領域Ｄ１に、入力部１１０からのタッチ入力により、代替表示モードから拡張表示モードへの移行を受け付ける移行受付表示ＳＷ１の表示を行う。
【００３１】
換言すると、表示制御部２２０は、代替表示モードにおいてステータス情報ＳＴ１〜ＳＴ４を表示している場合、移行受付表示ＳＷ１の表示を行う。これにより、代替表示モードにおいてステータス情報ＳＴ１〜ＳＴ４を表示している場合に、拡張表示モードに移行することができる。
【００３２】
図１の（ｂ）に示すように、表示制御部２２０は、第２表示領域Ｄ２の上部にステータス情報ＳＴ１〜ＳＴ４を表示させると同時に、第１表示領域Ｄ１に、拡張表示モードへの移行を受け付ける移行受付表示ＳＷ１を表示してもよい。また、表示制御部２２０は、第２表示領域Ｄ２にステータス情報ＳＴ１〜ＳＴ４を表示すると同時に、操作ボタン表示ＤＤ１を第１表示領域Ｄ１に表示してもよい。
【００３３】
ユーザが移行受付表示ＳＷ１をタッチすると、代替表示モードから拡張表示モードに移行する。具体的には、ユーザが移行受付表示ＳＷ１をタッチすると、入力部１１０はユーザからのタッチ入力を検出し、タッチ入力の検出結果を表示制御部２２０に供給する。表示制御部２２０は、タッチ入力の検出結果に基づいて、拡張表示モードで表示を行うように表示部１２０を制御する。また、表示制御部２２０は、拡張表示モードで表示を行うことをモード情報３３０として記憶部３０に格納する。
【００３４】
以上により、制御部２０は、ステータス情報ＳＴ１〜ＳＴ４を第１表示領域Ｄ１に表示する拡張表示モード、およびステータス情報ＳＴ１〜ＳＴ４を第１表示領域Ｄ１に表示しない代替表示モードの何れかにより表示面に表示を行う。これにより、ステータス情報ＳＴ１〜ＳＴ４を表示する場合に第１表示領域Ｄ１に表示することができるので、切欠き部Ａ１の影響を受けない第２表示領域Ｄ２全体をアプリケーション等の描画領域として用いることができる。また、ステータス情報ＳＴ１〜ＳＴ４を表示しないアプリケーション等を起動した場合であっても、表示面に画像を鮮明に表示し、アプリケーション等の描画領域を減らすことなく、ステータス情報ＳＴ１〜ＳＴ４を表示することができる。
【００３５】
また、制御部２０は、アプリケーションの起動時にステータス情報ＳＴ１〜ＳＴ４の表示を行う場合、拡張表示モードで表示を行い、アプリケーションの起動時にステータス情報ＳＴ１〜ＳＴ４の表示を行わない場合、代替表示モードで表示を行う。これにより、アプリケーションの描画領域を減らすことなく、ステータス情報ＳＴ１〜ＳＴ４を表示することができる。
【００３６】
制御部２０は、代替表示モードで表示中に、ステータス情報ＳＴ１〜ＳＴ４を表示する場合、第２表示領域Ｄ２にステータス情報ＳＴ１〜ＳＴ４を表示する。これにより、代替表示モードのときでも適切にステータス情報ＳＴ１〜ＳＴ４を表示することができる。
【００３７】
さらに、制御部２０は、第２表示領域Ｄ２にステータス情報ＳＴ１〜ＳＴ４を表示する場合、第１表示領域Ｄ１に拡張表示モードへの移行を受け付ける移行受付表示ＳＷ１の表示を行う。これにより、第２表示領域Ｄ２にステータス情報ＳＴ１〜ＳＴ４が表示されているときに、第１表示領域Ｄ１にステータス情報ＳＴ１〜ＳＴ４を表示するように切り替えることができる。また、第２表示領域Ｄ２にステータス情報ＳＴ１〜ＳＴ４が表示され、アプリケーション等の描画領域が狭まっている状態から、ステータス情報ＳＴ１〜ＳＴ４を表示したまま、第２表示領域Ｄ２全体をアプリケーション等の描画領域とすることができる。したがって、ステータス情報ＳＴ１〜ＳＴ４の表示の有無に応じて、表示モードの移行を簡単な方法で行うことができる。
【００３８】
（変形例）
図２の（ｂ）は電子機器１の変形例である電子機器１ａの表示を示す図である。電子機器１ａは、電子機器１と比べて、第１表示領域Ｄ１に、拡張表示モードから代替表示モードへの移行を受け付ける、移行受付表示ＳＷ１とは別の移行受付表示ＳＷ２が表示される点が異なる。電子機器１ａでは、ステップＳ３０の処理において、第１表示領域Ｄ１には移行受付表示ＳＷ２が表示される。具体的に以下に説明する。
【００３９】
ステップＳ３０の処理において、表示制御部２２０は、第１表示領域Ｄ１に移行受付表示ＳＷ２を表示する。ユーザが移行受付表示ＳＷ２をタッチすると、拡張表示モードから代替表示モードに移行する。具体的には、ユーザが移行受付表示ＳＷ２をタッチすると、入力部１１０はユーザからのタッチ入力を検出し、タッチ入力の検出結果を表示制御部２２０に供給する。表示制御部２２０は、タッチ入力の検出結果に基づいて、代替表示モードで表示を行うように表示部１２０を制御する。また、表示制御部２２０は、代替表示モードで表示を行うことをモード情報３３０として記憶部３０に格納する。
【００４０】
〔実施形態２〕
図５は、本発明の実施形態２に係る電子機器１の横画面表示を示す図である。図５の（ａ）は第１表示領域Ｄ１が左側にある場合の電子機器１の表示を示す図であり、図５の（ｂ）は第１表示領域Ｄ１が右側にある場合の電子機器１の表示を示す図である。なお、説明の便宜上、前記実施形態にて説明した部材と同じ機能を有する部材については、同じ符号を付記し、その説明を繰り返さない。
【００４１】
制御部２０は、拡張表示モードで縦画面表示から横画面表示にした場合、代替表示モードに移行して表示する。具体的に以下に説明する。拡張表示モードで縦画面表示の状態において、ユーザがタッチ操作により横画面表示を行うように電子機器１に指示する場合を考える。この場合、入力部１１０はユーザからのタッチ入力を検出し、タッチ入力の検出結果を表示制御部２２０に供給する。
【００４２】
表示制御部２２０は、タッチ入力の検出結果に基づいて、縦画面表示から横画面表示にするように表示部１２０を制御する。なお、表示制御部２２０は、横画面表示の場合、代替表示モードに移行するとともに、ステータス情報ＳＴ１〜ＳＴ４を複数に分けずに１つの領域に表示させる。
【００４３】
また、表示制御部２２０は、横画面表示の場合、第１表示領域Ｄ１には何も表示しない。横画面表示における第１表示領域Ｄ１は、ユーザにより視認されにくいため、何らかの情報を表示しても、ユーザが認識できない可能性がある。横画面表示の場合、第１表示領域Ｄ１には何も表示しないので、無駄に情報を表示することを抑制することができる。
【００４４】
表示制御部２２０が縦画面表示から横画面表示にするように表示部１２０を制御した結果、電子機器１の表示は、図５の（ａ）または（ｂ）に示すような表示になる。例えば、図５の（ａ）に示すように、第１表示領域Ｄ１が左側にある場合、表示制御部２２０は、ステータス情報ＳＴ１〜ＳＴ４を、第２表示領域Ｄ２の側部（上側）に表示させてもよい。また、図５の（ｂ）に示すように、第１表示領域Ｄ１が右側にある場合、表示制御部２２０は、ステータス情報ＳＴ１〜ＳＴ４を、第２表示領域Ｄ２の側部（上側）に表示させてもよい。
【００４５】
以上により、制御部２０は、拡張表示モードで縦画面表示から横画面表示にした場合、代替表示モードに移行して表示する。これにより、横画面表示中は、代替表示モードで表示することができる。よって、第２表示領域Ｄ２にステータス情報ＳＴ１〜ＳＴ４を表示することができ、ステータス情報ＳＴ１〜ＳＴ４をユーザに認識し易くすることができる。
【００４６】
また、制御部２０は、拡張表示モードにおける縦画面表示の場合、第１表示領域Ｄ１に表示するステータス情報ＳＴ１〜ＳＴ４を内容に応じて複数の領域に分けて表示する。制御部２０は、横画面表示の場合、代替表示モードに移行するとともに、ステータス情報ＳＴ１〜ＳＴ４を複数に分けずに１つの領域に表示させる。これにより、横方向に長く使うことができる横画面表示の場合、ステータス情報ＳＴ１〜ＳＴ４を１つの領域に表示し、横方向に長く使うことができない縦画面表示の場合、ステータス情報ＳＴ１〜ＳＴ４を分けて表示する。よって、使うことのできる領域の長さに応じて適切に通知情報を表示することができる。
【００４７】
〔実施形態３〕
図６の（ａ）は本発明の実施形態３に係る電子機器１において、ステータス情報ＳＴ１〜ＳＴ４が表示されない場合の表示を示す図である。図６の（ｂ）は図６の（ａ）に示す電子機器１において、ステータス情報ＳＴ１〜ＳＴ４が表示される場合の表示を示す図である。なお、説明の便宜上、前記実施形態にて説明した部材と同じ機能を有する部材については、同じ符号を付記し、その説明を繰り返さない。
【００４８】
図６の（ａ）に示すように、電子機器１の表示面は、切欠き部Ａ１を有し、第３表示領域Ｄ３を含んでいる。つまり、電子機器１の表示面の表示領域全体は、第３表示領域Ｄ３となっている。例えば、ユーザがタッチ操作によりアプリケーションの起動を電子機器１に指示する場合を考える。この場合、前述したステップＳ１０の処理が行われた後、アプリケーション実行部２１０は、選択したアプリケーション３１０を起動するように表示制御部２２０に指示する。
【００４９】
表示制御部２２０は、アプリケーション実行部２１０によって選択されたアプリケーション３１０の情報をモード決定部２３０に供給する。モード決定部２３０は、表示制御部２２０から供給されたアプリケーション３１０の情報を参照し、アプリケーション３１０が特定のアプリケーションであるか否かを判定する。特定のアプリケーションとは、記憶部３０に予め格納され、起動時に全画面表示で表示を行うアプリケーションである。
【００５０】
（全画面表示モード）
アプリケーション３１０において、アプリケーション３１０が特定のアプリケーションである場合、モード決定部２３０は、全画面表示モードで表示を行うことを決定する。モード決定部２３０は、全画面表示モードで表示を行うことをモード情報３３０として記憶部３０に格納する。モード決定部２３０は、全画面表示モードで表示を行うように表示制御部２２０に指示する。表示制御部２２０は、全画面表示モードで表示を行うように表示部１２０を制御し、全画面表示モードで表示を行う。
【００５１】
なお、表示制御部２２０は、全画面表示モードにおける縦画面表示の場合、第３表示領域Ｄ３に表示するステータス情報ＳＴ１〜ＳＴ４を内容に応じて複数の領域に分けて表示する。図６の（ｂ）では、表示制御部２２０は、ステータス情報ＳＴ１〜ＳＴ３を、切欠き部Ａ１の右側の領域に表示し、ステータス情報ＳＴ４を、切欠き部Ａ１の左側の領域に表示する。
【００５２】
表示制御部２２０が、全画面表示モードで表示を行った結果、電子機器１の表示は、図６の（ａ）または（ｂ）に示すような表示になる。具体的に以下に説明する。アプリケーション３１０において、ステータス情報ＳＴ１〜ＳＴ４の表示を行わない場合、電子機器１の表示は、図６の（ａ）に示すような表示になる。
【００５３】
ステータス情報ＳＴ１〜ＳＴ４の表示が行われない場合、表示制御部２２０は、第３表示領域Ｄ３に、アプリケーション３１０の内容を表示させる。表示面の表示領域全体である第３表示領域Ｄ３に、アプリケーション３１０の内容を表示することにより、アプリケーション３１０の内容を大きく表示することができる。
【００５４】
また、アプリケーション３１０において、ステータス情報ＳＴ１〜ＳＴ４の表示を行う場合、電子機器１の表示は、図６の（ｂ）に示すような表示になる。ステータス情報ＳＴ１〜ＳＴ４の表示が行われる場合、例えば、第３表示領域Ｄ３の上部にステータス情報ＳＴ１〜ＳＴ４が表示される。第３表示領域Ｄ３におけるステータス情報ＳＴ１〜ＳＴ４が表示されている部分以外の部分には、アプリケーション３１０の内容が表示される。また、表示制御部２２０は、第３表示領域Ｄ３の上部にステータス情報ＳＴ１〜ＳＴ４を表示させると同時に、例えば、操作ボタン表示ＤＤ１を第３表示領域Ｄ３の下部に表示させてもよい。
【００５５】
第３表示領域Ｄ３に、ステータス情報ＳＴ１〜ＳＴ４、アプリケーション３１０の内容、および操作ボタン表示ＤＤ１を表示させても、第３表示領域Ｄ３が表示面の表示領域全体であるので、下記のような効果が得られる。つまり、ステータス情報ＳＴ１〜ＳＴ４および操作ボタン表示ＤＤ１を表示させつつ、アプリケーション３１０の内容を大きく表示することができるという効果が得られる。
【００５６】
次に図７の（ａ）および（ｂ）を参照して制御部２０が、全画面表示モードで縦画面表示から横画面表示にした場合について説明する。縦画面表示の状態において、ユーザがタッチ操作により横画面表示を行うように電子機器１に指示する場合を考える。この場合、入力部１１０はユーザからのタッチ入力を検出し、タッチ入力の検出結果を表示制御部２２０に供給する。
【００５７】
表示制御部２２０は、タッチ入力の検出結果に基づいて、縦画面表示から横画面表示にするように表示部１２０を制御する。表示制御部２２０は、横画面表示の場合、ステータス情報ＳＴ１〜ＳＴ４を複数に分けずに１つの領域に表示させる。表示制御部２２０が縦画面表示から横画面表示にするように表示部１２０を制御した結果、電子機器１の表示は、図７の（ａ）または（ｂ）に示すような表示になる。
【００５８】
図７の（ａ）に示すように、例えば、切欠き部Ａ１が左側にある場合、表示制御部２２０は、ステータス情報ＳＴ１〜ＳＴ４を、第３表示領域Ｄ３の側部（上側）に表示させてもよい。また、図７の（ｂ）に示すように、切欠き部Ａ１が右側にある場合、表示制御部２２０は、ステータス情報ＳＴ１〜ＳＴ４を、第３表示領域Ｄ３の側部（上側）に表示させてもよい。
【００５９】
以上により、表示面の表示領域全体である第３表示領域Ｄ３にステータス情報ＳＴ１〜ＳＴ４を表示することができ、ステータス情報ＳＴ１〜ＳＴ４をユーザに認識し易くすることができる。また、制御部２０は、横画面表示の場合、ステータス情報ＳＴ１〜ＳＴ４を複数に分けずに１つの領域に表示させる。これにより、横方向に長く使うことができる横画面表示の場合、ステータス情報ＳＴ１〜ＳＴ４を１つの領域に表示し、横方向に長く使うことができない縦画面表示の場合、ステータス情報ＳＴ１〜ＳＴ４を分けて表示する。よって、使うことのできる領域の長さに応じて適切に通知情報を表示することができる。
【００６０】
〔ソフトウェアによる実現例〕
電子機器１の制御ブロック（特にアプリケーション実行部２１０、表示制御部２２０、モード決定部２３０、およびそれらを備える制御部２０）は、集積回路（ＩＣチップ）等に形成された論理回路（ハードウェア）によって実現してもよいし、ソフトウェアによって実現してもよい。
【００６１】
後者の場合、電子機器１は、各機能を実現するソフトウェアであるプログラムの命令を実行するコンピュータを備えている。このコンピュータは、例えば少なくとも１つのプロセッサ（制御装置）を備えているとともに、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００６２】
〔まとめ〕
本発明の態様１に係る電子機器（１）は、ユーザからの入力を検出する入力部（１１０）と、少なくとも一部に切欠き部（Ａ１）が形成されている表示部（１２０）と、制御部（２０）と、を備え、前記制御部は、前記表示部に、前記切欠き部が形成されている第１表示領域（Ｄ１）と、前記第１表示領域以外の表示領域である第２表示領域（Ｄ２）と、を設け、自機器のステータス情報（ＳＴ１〜ＳＴ４）を前記第１表示領域に表示するとともに、前記第２表示領域をアプリケーションの描画領域として利用する拡張表示モード、および前記ステータス情報を前記第１表示領域に表示せず、前記第２表示領域に表示する代替表示モードの２つの表示モードの少なくとも何れかにより前記表示部に表示を行い、前記第１表示領域に、前記入力部からの入力により、前記代替表示モードから前記拡張表示モードへの移行を受け付ける移行受付表示（ＳＷ１）の表示を行う。
【００６３】
前記の構成によれば、第２表示領域にステータス情報が表示されているときに、ステータス情報を第１表示領域に表示するにように表示モードを移行することができる。これにより、第２表示領域にステータス情報が表示され、アプリケーション等の描画領域が狭まっている状態から、ステータス情報を表示したまま、第２表示領域全体をアプリケーション等の描画領域とすることができる。したがって、ステータス情報の表示の有無に応じて、表示モードの移行を簡単な方法で行うことができるという効果を奏する。
【００６４】
本発明の態様２に係る電子機器（１）は、前記態様１において、前記制御部（２０）は、前記代替表示モードにおいて前記ステータス情報（ＳＴ１〜ＳＴ４）を表示している場合、前記移行受付表示（ＳＷ１）の表示を行ってもよい。
【００６５】
前記の構成によれば、代替表示モードにおいてステータス情報を表示している場合に、拡張表示モードに移行することができる。
【００６６】
本発明の態様３に係る電子機器（１）は、前記態様１または２において、前記表示部の表示面は矩形であり、前記制御部（２０）は、拡張表示モードにおける縦画面表示の場合、前記第１表示領域（Ｄ１）に表示するステータス情報（ＳＴ１〜ＳＴ４）を内容に応じて複数の領域に分けて表示し、横画面表示の場合、代替表示モードに移行するとともに、前記ステータス情報を複数に分けずに１つの領域に表示させてもよい。
【００６７】
前記の構成によれば、横方向に長く使うことができる横画面表示の場合、ステータス情報を１つの領域に表示し、横方向に長く使うことができない縦画面表示の場合、ステータス情報を分けて表示する。これにより、使うことのできる領域の長さに応じて適切に通知情報を表示することができる。
【００６８】
本発明の態様４に係る電子機器（１）は、前記態様３において、前記制御部（２０）は、横画面表示の場合、前記第１表示領域（Ｄ１）には何も表示しなくてもよい。
【００６９】
横画面表示における第１表示領域は、ユーザが視認しにくいため、何らかの情報を表示しても、ユーザが認識できない可能性がある。前記の構成によれば、横画面表示の場合、前記第１表示領域には何も表示しないので、無駄に情報を表示することを抑制することができる。
【００７０】
本発明の態様５に係る電子機器（１）は、前記態様１から４の何れかにおいて、前記制御部（２０）は、前記第１表示領域（Ｄ１）に、前記拡張表示モードから前記代替表示モードへの移行を受け付ける別の移行受付表示（ＳＷ２）の表示を行ってもよい。
【００７１】
前記の構成によれば、拡張表示モードから代替表示モードへ表示モードを移行することができる。これにより、ステータス情報をユーザが視認しやすい第２表示領域に表示させることができる。
【００７２】
本発明の態様６に係る制御装置は、ユーザからの入力を検出する入力部と、少なくとも一部に切欠き部（Ａ１）が形成されている表示部（１２０）と、表示制御部（２２０）と、モード決定部（２３０）と、を備えた制御装置であって、前記表示制御部は、前記表示部に、前記切欠き部が形成されている第１表示領域（Ｄ１）と、前記第１表示領域以外の表示領域である第２表示領域（Ｄ２）と、を設け、自機器のステータス情報（ＳＴ１〜ＳＴ４）を前記第１表示領域に表示するとともに、前記第２表示領域をアプリケーションの描画領域として利用する拡張表示モード、および前記ステータス情報を前記第１表示領域に表示せず、前記第２表示領域に表示する代替表示モードの２つの表示モードの少なくとも何れかにより前記表示部に表示を行い、前記第１表示領域に、前記入力部からの入力により、前記代替表示モードから前記拡張表示モードへの移行を受け付ける移行受付表示の表示を行い、前記モード決定部は、前記拡張表示モードおよび前記代替表示モードの２つの表示モードの少なくとも何れかを決定し、前記表示制御部に決定した結果を供給する。
【００７３】
前記の構成によれば、前記態様１と同様の作用効果を奏する。
【００７４】
本発明の態様７に係る電子機器（１）の制御方法は、少なくとも一部に切欠き部（Ａ１）が形成された表示部を有する電子機器の制御方法であって、前記表示部に、前記切欠き部が形成されている第１表示領域（Ｄ１）と、前記第１表示領域以外の表示領域である第２表示領域（Ｄ２）と、を設ける第１工程と、自機器のステータス情報（ＳＴ１〜ＳＴ４）を前記第１表示領域に表示するとともに、前記第２表示領域をアプリケーションの描画領域として利用する拡張表示モード、および前記ステータス情報を前記第１表示領域に表示せず、前記第２表示領域に表示する代替表示モードの２つの表示モードの少なくとも何れかにより前記表示部に表示を行う第２工程（ステップＳ３０、ステップＳ４０）と、を含み、前記第２工程において、前記第１表示領域に、ユーザからの入力により、前記代替表示モードから前記拡張表示モードへの移行を受け付ける移行受付表示の表示を行う。
【００７５】
前記の構成によれば、前記態様１と同様の作用効果を奏する。
【００７６】
〔補足〕
なお、本発明の変形例１に係る電子機器（１）は、少なくとも一部に切欠き部（Ａ１）が形成されている表示部（１２０）と、制御部（２０）と、を備え、前記制御部は、前記表示部に、前記切欠き部が形成されている第１表示領域（Ｄ１）と、前記第１表示領域以外の表示領域である第２表示領域（Ｄ２）と、を設け、自機器のステータス情報（ＳＴ１〜ＳＴ４）を前記第１表示領域に表示するとともに、前記第２表示領域をアプリケーションの描画領域として利用する拡張表示モード、および前記ステータス情報を前記第１表示領域に表示しない代替表示モードの２つの表示モードの少なくとも何れかにより前記表示部に表示を行う。
【００７７】
前記の構成によれば、制御部は、ステータス情報を第１表示領域に表示する拡張表示モード、およびステータス情報を第１表示領域に表示しない代替表示モードの何れかにより表示部に表示を行う。これにより、ステータス情報を表示する場合に第１表示領域に表示することができるので、切欠き部の影響を受けない第２表示領域全体をアプリケーション等の描画領域として用いることができる。また、ステータス情報を表示しないアプリケーション等を起動した場合であっても、表示面に画像を鮮明に表示し、アプリケーション等の描画領域を減らすことなく、ステータス情報を表示することができる。
【００７８】
本発明の変形例２に係る電子機器（１）は、前記変形例１において、前記制御部（２０）は、アプリケーションの起動時に前記ステータス情報（ＳＴ１〜ＳＴ４）の表示を行う場合、前記拡張表示モードで表示を行い、アプリケーションの起動時に前記ステータス情報の表示を行わない場合、前記代替表示モードで表示を行ってもよい。
【００７９】
前記の構成によれば、制御部は、アプリケーションの起動時にステータス情報の表示を行う場合、拡張表示モードで表示を行い、アプリケーションの起動時にステータス情報の表示を行わない場合、代替表示モードで表示を行う。これにより、アプリケーションの描画領域を減らすことなく、ステータス情報を表示することができる。
【００８０】
本発明の変形例３に係る電子機器（１）は、前記変形例１または２において、前記制御部（２０）は、前記代替表示モードで表示中に、前記ステータス情報（ＳＴ１〜ＳＴ４）を表示する場合、前記第２表示領域（Ｄ２）に表示してもよい。
【００８１】
前記の構成によれば、制御部は、代替表示モードで表示中に、ステータス情報を表示する場合、第２表示領域にステータス情報を表示する。これにより、代替表示モードのときでも適切にステータス情報を表示することができる。
【００８２】
本発明の変形例４に係る電子機器（１）は、前記変形例３において、前記制御部（２０）は、前記第２表示領域（Ｄ２）に前記ステータス情報（ＳＴ１〜ＳＴ４）を表示する場合、前記第１表示領域（Ｄ１）に前記拡張表示モードへの移行を受け付ける移行受付表示（ＳＷ１）の表示を行ってもよい。
【００８３】
前記の構成によれば、制御部は、第２表示領域にステータス情報を表示する場合、第１表示領域に拡張表示モードへの移行を受け付ける移行受付表示の表示を行う。これにより、第２表示領域にステータス情報が表示されているときに、第１表示領域にステータス情報を表示するように切り替えることができる。また、第２表示領域にステータス情報が表示され、アプリケーション等の描画領域が狭まっている状態から、ステータス情報を表示したまま、第２表示領域全体をアプリケーション等の描画領域とすることができる。
【００８４】
本発明の変形例５に係る電子機器（１）は、前記変形例１〜４の何れかにおいて、前記制御部（２０）は、前記拡張表示モードで縦画面表示から横画面表示にした場合、前記代替表示モードに移行して表示してもよい。
【００８５】
前記の構成によれば、制御部は、拡張表示モードで縦画面表示から横画面表示にした場合、代替表示モードに移行して表示する。これにより、横画面表示中は、代替表示モードで表示することができる。よって、第２表示領域にステータス情報を表示することができ、ステータス情報をユーザに認識し易くすることができる。
【００８６】
本発明の変形例６に係る電子機器（１）は、前記変形例１〜５の何れかにおいて、前記表示部（１２０）の表示面は矩形であり、前記切欠き部（Ａ１）は、外縁の少なくとも１辺に形成され、前記第１表示領域（Ｄ１）は、前記切欠き部が形成される１辺に沿って設けられていてもよい。
【００８７】
前記の構成によれば、第１表示領域と第２表示領域とをユーザに違和感を与えることなく設定することができる。
【００８８】
本発明の変形例７に係る電子機器（１）は、前記変形例１〜５の何れかにおいて、前記表示部（１２０）の表示面の外縁の少なくとも１つの角の形状が円弧状であってもよい。
【００８９】
前記の構成によれば、表示面の外縁の少なくとも１つの角の形状は、円弧状である。これにより、例えば、電子機器の額縁を、表示面の外縁の角に合わせることで、電子機器のサイズを小さくしつつ、電子機器の額縁を小さくすることができる。
【００９０】
本発明の変形例８に係る制御装置は、少なくとも一部に切欠き部（Ａ１）が形成されている表示部（１２０）と、表示制御部（２２０）と、モード決定部（２３０）と、を備えた制御装置であって、前記表示制御部は、前記表示部に、前記切欠き部が形成されている第１表示領域（Ｄ１）と、前記第１表示領域以外の表示領域である第２表示領域（Ｄ２）と、を設け、自機器のステータス情報（ＳＴ１〜ＳＴ４）を前記第１表示領域に表示するとともに、前記第２表示領域をアプリケーションの描画領域として利用する拡張表示モード、および前記ステータス情報を前記第１表示領域に表示しない代替表示モードの２つの表示モードの少なくとも何れかにより前記表示部に表示を行い、前記モード決定部は、前記拡張表示モードおよび前記代替表示モードの２つの表示モードの少なくとも何れかを決定し、前記表示制御部に決定した結果を供給する。
【００９１】
前記の構成によれば、前記変形例と同様の作用効果を奏する。
【００９２】
本発明の変形例９に係る電子機器（１）の制御方法は、少なくとも一部に切欠き部（Ａ１）が形成されている表示部（１２０）を備えた電子機器（１）の制御方法であって、前記表示部に、前記切欠き部が形成されている第１表示領域（Ｄ１）と、前記第１表示領域以外の表示領域である第２表示領域（Ｄ２）と、を設ける工程と、自機器のステータス情報（ＳＴ１〜ＳＴ４）を前記第１表示領域に表示するとともに、前記第２表示領域をアプリケーションの描画領域として利用する拡張表示モード、および前記ステータス情報を前記第１表示領域に表示しない代替表示モードの２つの表示モードの少なくとも何れかにより前記表示部に表示を行う工程（ステップＳ３０、ステップＳ４０）と、を含む。
【００９３】
前記の構成によれば、前記変形例１と同様の作用効果を奏する。
【００９４】
本発明の各態様に係る電子機器１は、コンピュータによって実現してもよく、この場合には、コンピュータを前記電子機器１が備える各部（ソフトウェア要素）として動作させることにより前記電子機器１をコンピュータにて実現させる電子機器１の制御プログラム、およびそれを記録したコンピュータ読み取り可能な記録媒体も、本発明の範疇に入る。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９６】
１  電子機器
１０  タッチパネル
２０  制御部
３０  記憶部
１１０  入力部
１２０  表示部
２１０  アプリケーション実行部
２２０  表示制御部
２３０  モード決定部
３１０  アプリケーション
３２０、ＳＴ１〜ＳＴ４  ステータス情報
３３０  モード情報
Ａ１  切欠き部
Ｃ１  カメラ
Ｄ１  第１表示領域
Ｄ２  第２表示領域
Ｄ３  第３表示領域
ＤＤ１  操作ボタン表示
ＳＷ１、ＳＷ２  移行受付表示
【図１】
2019070762.tif 000003
【図２】
2019070762.tif 000004
【図３】
2019070762.tif 000005
【図４】
2019070762.tif 000006
【図５】
2019070762.tif 000007
【図６】
2019070762.tif 000008
【図７】
2019070762.tif 000009